(57)【要約】【課題】プッシュ型電子メールについて、メール受信があることを適切に知らせつつ、頻繁なアクションによってユーザが煩わされることのないメール受信通知システム、メール受信通知方法、電子機器及びプログラムを提供する。【解決手段】メール受信通知システムは、オペレーティングシステムからメール受信通知を受け取るメール受信通知受取部と、前記メール受信通知に基づいて、少なくとも前記メール受信通知に係るメールを含む受信メールの差出人メールアドレスを電子メールサーバに問い合わせる問い合わせ部と、前記差出人メールアドレスを、予め設定されたフィルタリストと照合し、電子時計のアクションの要否を判断するアクション要否判断部と、前記電子時計にアクション要求を送信するアクション要求送信部と、を有する電子機器と、前記アクション要求に基づいて、アクションを実行するアクション実行部を有する電子時計と、を備える。【選択図】図３
2018022223.tif 000002
【特許請求の範囲】
【請求項１】
オペレーティングシステムからメール受信通知を受け取るメール受信通知受取部と、
前記メール受信通知に基づいて、少なくとも前記メール受信通知に係るメールを含む受信メールの差出人メールアドレスを電子メールサーバに問い合わせる問い合わせ部と、
前記差出人メールアドレスを、予め設定されたフィルタリストと照合し、電子時計のアクションの要否を判断するアクション要否判断部と、
前記アクション要否判断部がアクションの必要があると判断した場合に、前記電子時計にアクション要求を送信するアクション要求送信部と、
を有する電子機器と、
前記アクション要求に基づいて、アクションを実行するアクション実行部を有する電子時計と、
を備えるメール受信通知システム。
【請求項２】
前記問い合わせ部は、前記メール受信通知に含まれる差出人名に基づいて、少なくとも前記メール受信通知に係るメールを含む受信メールの差出人メールアドレスを電子メールサーバに問い合わせる、
請求項１に記載のメール受信通知システム。
【請求項３】
前記問い合わせ部は、前記メール受信通知の発生時刻に基づいて、少なくとも前記メール受信通知に係るメールを含む受信メールの差出人メールアドレスを電子メールサーバに問い合わせる、
請求項１又は２に記載のメール受信通知システム。
【請求項４】
前記問い合わせ部は、前記メール受信通知の件数に応じて、少なくとも前記メール受信通知に係るメールを含む複数の受信メールそれぞれの差出人メールアドレスを電子メールサーバに問い合わせる、
請求項１乃至３いずれか１項に記載のメール受信通知システム。
【請求項５】
電子機器により、前記電子機器のオペレーティングシステムから受け取ったメール受信通知に基づいて、少なくとも前記メール受信通知に係るメールを含む受信メールの差出人メールアドレスを電子メールサーバに問い合わせ、
電子機器により、前記差出人メールアドレスを、予め設定されたフィルタリストと照合し、電子時計のアクションの要否を判断し、
前記アクション要否判断部がアクションの必要があると判断した場合に、電子機器により、前記電子時計にアクション要求を送信し、
前記電子時計により、前記アクション要求に基づいて、アクションを実行する、
メール受信通知方法。
【請求項６】
オペレーティングシステムからメール受信通知を受け取るメール受信通知受取部と、
前記メール受信通知に基づいて、少なくとも前記メール受信通知に係るメールを含む受信メールの差出人メールアドレスを電子メールサーバに問い合わせる問い合わせ部と、
前記差出人メールアドレスを、予め設定されたフィルタリストと照合し、電子時計のアクションの要否を判断するアクション要否判断部と、
前記アクション要否判断部がアクションの必要があると判断した場合に、前記電子時計にアクション要求を送信するアクション要求送信部と、
を有する電子機器。
【請求項７】
コンピュータを、請求項６に記載の電子機器として機能させるためのプログラム。
【発明の詳細な説明】
【技術分野】
【０００１】
本発明はメール受信通知システム、メール受信通知方法、電子機器及びプログラムに関する。
【背景技術】
【０００２】
電子時計は、ＩＥＥＥ  ８０２．１５等の規格に基づいた近距離無線通信によりスマートフォン等の電子機器と通信して、電子機器により受信した電子メールを電子機器から電子時計に通知し、電子時計のブザーを鳴動させる等のアクションを実行して、ユーザに電子メールの受信があったことを知らせる場合がある。
【０００３】
例えば、特許文献１には、電子メールにより送信されてきたキーワードに一致するデータを検索し、検索されたデータを電子メールにより送信元に送信する電子メール検索システムが記載されている。
【先行技術文献】
【特許文献】
【０００４】
【特許文献１】特開第２００２−１５７２４８号公報
【発明の概要】
【発明が解決しようとする課題】
【０００５】
電子メールサーバに新たな電子メールの受信があった場合、電子メールサーバは、電子メールクライアントに対して、電子メールの受信をプッシュ通知する場合がある。この際、電子メールクライアントは、電子機器のオペレーティングシステムに対してメール受信を通知し、オペレーティングシステムは、アプリケーションに対してメール受信を通知する場合がある。
【０００６】
ここで、オペレーティングシステムからアプリケーションに通知されるメール受信通知は、差出人を特定するに足る情報を含まない場合がある。そのため、メール受信があったことを電子時計によるアクションによりユーザに知らせるにあたって、アクションの要否についてフィルタリングを適用出来ない場合があり、全てのメール受信通知について一律にアクションを実行する場合があった。そのような場合、ユーザは頻繁なアクションに煩わしさを感じるおそれがある。
【０００７】
アプリケーションによってメール受信通知のあった電子メールの詳細を取得するため、ＩＭＡＰ（Ｉｎｔｅｒｎｅｔ  Ｍｅｓｓａｇｅ  Ａｃｃｅｓｓ  Ｐｒｏｔｏｃｏｌ）メールクライアントに相当する機能をアプリケーションに実装することも考えられるが、アプリケーションが複雑になり、開発コストや保守コストが増大する懸念がある。
【０００８】
また、新着メールの確認をポーリング型で行うことも考えられるが、プッシュ型に比べて新着メールの確認が遅れる場合があり、新着メールの確認の遅れを減らすために頻繁に新着メールの確認を行うと無駄な通信が増えてしまう。
【０００９】
本発明はかかる事情に鑑みてなされたものであり、その目的は、プッシュ型電子メールについて、メール受信があることを適切に知らせつつ、頻繁なアクションによってユーザが煩わされることのないメール受信通知システム、メール受信通知方法、電子機器及びプログラムを提供することである。
【課題を解決するための手段】
【００１０】
上記課題を解決すべく本出願において開示される発明は種々の側面を有しており、それら側面の代表的なものの概要は以下の通りである。
【００１１】
（１）メール受信通知システムは、オペレーティングシステムからメール受信通知を受け取るメール受信通知受取部と、前記メール受信通知に基づいて、少なくとも前記メール受信通知に係るメールを含む受信メールの差出人メールアドレスを電子メールサーバに問い合わせる問い合わせ部と、前記差出人メールアドレスを、予め設定されたフィルタリストと照合し、電子時計のアクションの要否を判断するアクション要否判断部と、前記アクション要否判断部がアクションの必要があると判断した場合に、前記電子時計にアクション要求を送信するアクション要求送信部と、を有する電子機器と、前記アクション要求に基づいて、アクションを実行するアクション実行部を有する電子時計と、を備える。
【００１２】
（２）（１）において、前記問い合わせ部は、前記メール受信通知に含まれる差出人名に基づいて、少なくとも前記メール受信通知に係るメールを含む受信メールの差出人メールアドレスを電子メールサーバに問い合わせる、メール受信通知システム。
【００１３】
（３）（１）又は（２）において、前記問い合わせ部は、前記メール受信通知の発生時刻に基づいて、少なくとも前記メール受信通知に係るメールを含む受信メールの差出人メールアドレスを電子メールサーバに問い合わせる、メール受信通知システム。
【００１４】
（４）（１）乃至（３）のいずれか１項において、前記問い合わせ部は、前記メール受信通知の件数に応じて、少なくとも前記メール受信通知に係るメールを含む複数の受信メールそれぞれの差出人メールアドレスを電子メールサーバに問い合わせる、メール受信通知システム。
【００１５】
（５）メール受信通知方法は、電子機器により、前記電子機器のオペレーティングシステムから受け取ったメール受信通知に基づいて、少なくとも前記メール受信通知に係るメールを含む受信メールの差出人メールアドレスを電子メールサーバに問い合わせ、電子機器により、前記差出人メールアドレスを、予め設定されたフィルタリストと照合し、電子時計のアクションの要否を判断し、前記アクション要否判断部がアクションの必要があると判断した場合に、電子機器により、前記電子時計にアクション要求を送信し、前記電子時計により、前記アクション要求に基づいて、アクションを実行する。
【００１６】
（６）電子機器は、オペレーティングシステムからメール受信通知を受け取るメール受信通知受取部と、前記メール受信通知に基づいて、少なくとも前記メール受信通知に係るメールを含む受信メールの差出人メールアドレスを電子メールサーバに問い合わせる問い合わせ部と、前記差出人メールアドレスを、予め設定されたフィルタリストと照合し、電子時計のアクションの要否を判断するアクション要否判断部と、前記アクション要否判断部がアクションの必要があると判断した場合に、前記電子時計にアクション要求を送信するアクション要求送信部と、を有する。
【００１７】
（７）プログラムは、コンピュータを、（６）に記載の電子機器として機能させる。
【発明の効果】
【００１８】
上記本発明の（１）、（５）〜（７）の側面によれば、プッシュ型電子メールについて、メール受信があることを適切に知らせつつ、頻繁なアクションによってユーザが煩わされることのないメール受信通知システム、メール受信通知方法、電子機器及びプログラムが得られる。
【００１９】
また、上記本発明の（２）及び（３）の側面によれば、簡易に実装可能であり、保守が容易なアプリケーションでアクション要否のフィルタリングを行うことができる。
【００２０】
また、上記本発明の（４）の側面によれば、複数のメールについて差出人名が重複していた場合やメール受信通知の発生時刻が重複していた場合であっても、適切にフィルタリングを施すことができる。
【図面の簡単な説明】
【００２１】
【図１】本発明の実施形態に係る電子時計の外観の一例を示す平面図である。
【図２】本発明の実施形態に係るメール受信通知システムの物理構成の一例を示す図である。
【図３】本発明の実施形態に係るメール受信通知システムの機能ブロック図である。
【図４】本発明の実施形態に係るメール受信通知システムにおける、メール受信を知らせるアクション実行処理の第１のフローチャートである。
【図５】本発明の実施形態に係るメール受信通知システムにおける、メール受信を知らせるアクション実行処理の第２のフローチャートである。
【図６】本発明の実施形態に係るメール受信通知システムにおける、メール受信を知らせるアクション実行処理の第３のフローチャートである。
【発明を実施するための形態】
【００２２】
以下、本発明の実施の形態について、図面を参照しながら説明する。
【００２３】
図１は、本発明の第１の実施形態に係る電子時計１の外観の一例を示す平面図である。本実施形態に係る電子時計１は、いわゆるアナログ腕時計の外観を有し、電子機器である携帯端末３０と近距離無線通信を行う。近距離無線通信を行うための通信回路やアンテナは、外装（時計ケース）である胴内に納められている。近距離無線通信の規格は特に限定されず、公知のいかなるものであってもよいが、本実施形態ではＢＬＥ（Ｂｌｕｅｔｏｏｔｈ（登録商標）  Ｌｏｗ  Ｅｎｅｒｇｙ）を用いる。電子時計１は、時刻針の時刻合わせや機能の使用に用いる竜頭２と、プッシュボタン４を有する。
【００２４】
電子時計１は、外装（時計ケース）である胴内に文字板１０を有する。文字板１０上には、電子時計１が携帯端末３０との接続を確立する処理を行っていることを表す接続処理表示１１と、携帯端末３０との接続が切断されたことを表すリンクロス表示１２と、携帯端末３０に電子メールの受信があったことを通知する電子メール受信表示１３と、携帯端末３０に電話の着信があったことを通知する電話着信表示１４とを有する。電子時計１は、接続処理表示１１、リンクロス表示１２、電子メール受信表示１３及び電話着信表示１４のいずれかを後述する秒針２２により指し示すことで、ユーザに対しそれぞれの情報を表示する。
【００２５】
電子時計１は、第１副針１５を有し、第１副針１５により現在時刻を２４時制で示す２４時間表示１５ａを有する。また、電子時計１は、第２副針１６を有し、第２副針１６により二次電池の充電残量を「０」〜「３」の４段階で示す充電残量表示１６ａと、第２副針１６により現在の曜日を「日」〜「土」で示す曜日表示１６ｂと、第２副針１６によりアラーム機能の設定を「ＯＮ」又は「ＯＦＦ」で示すアラーム設定表示１６ｃと、第２副針１６により携帯端末３０との近距離無線通信による接続状態を「ＯＮ」又は「ＯＦＦ」で示す接続状態表示１６ｄと、を有する。また、電子時計１は、第３副針１７を有し、第３副針１７で「ＴＭＥ」を指すことにより現在時刻表示機能が設定されていることを示し、第３副針１７で「ＣＨＲ」を指すことによりクロノグラフ機能が設定されていることを示し、第３副針１７で「ＡＬＭ」を指すことによりアラーム機能の設定状態にあることを示し、第３副針１７で「Ｌ−ＴＭ」を指すことによりローカル時刻表示機能が設定されていることを示す、機能設定表示１７ａを有する。
【００２６】
電子時計１は、モータにより駆動される複数の時刻針を有する。具体的には、電子時計１は、時刻針として、ステッピングモータにより駆動される時針２０、分針２１及び秒針２２を有する。もっとも、電子時計１は、これら以外の指針を時刻針として有してもよい。また、時刻針は何らかの時刻を指し示すためのアナログ表示部材であり、代表的なものは指針であるが、特殊なものとして、回転円板や、レトログラードなども時刻針に含まれ得る。
【００２７】
電子時計１には、文字板１０を覆うようにガラス等の透明材料により形成された風防が胴に取り付けられている。また、風防の反対側においては裏蓋が胴に取り付けられている。本明細書では、以降、電子時計１の風防が配置される方向（図１における紙面手前方向）を表側、裏蓋が配置される方向（図１における紙面奥方向）を裏側と呼ぶ。
【００２８】
図１に示した電子時計１のデザインは一例である。ここで示したもの以外にも、例えば、胴を丸型でなく角型にしてもよいし、竜頭２やプッシュボタン４の有無、数、配置は任意である。また、本実施形態では、指針を時針２０、分針２１、秒針２２、第１副針１５、第２副針１６及び第３副針１７の計６本としているが、これに限定されず、各種の表示を行う指針を追加又は削除してもよい。
【００２９】
図２は、本発明の実施形態に係るメール受信通知システム１００の物理構成の一例を示す図である。メール受信通知システム１００は、電子機器である携帯端末３０と、電子時計１とを含む。電子時計１は、アンテナを含む時計通信部６２で近距離無線通信に用いられる電波を送受信する。電子時計１は、例えば、携帯端末３０からアクション要求がエンコードされた電波を受信する。受信された電波は、エンコード／デコード回路４１によりデコードされ、コントローラ４０に受け渡される。コントローラ４０は、電子時計１全体の動作を制御するマイクロコンピュータであり、その内部に時計回路を有しており、内部時刻を計時する機能を有している。内部時刻は、携帯端末３０より送信される時刻情報に基づいて修正され、正確に保たれる。
【００３０】
コントローラ４０には、ユーザによる外部からの操作を受け付ける入力部（竜頭２及びプッシュボタン４）からの信号が入力される。また、コントローラ４０からは、内部時刻に基づいてモータ４２を駆動する信号が出力され、指針（時針２０、分針２１及び秒針２２）を駆動し、時刻が表示される。さらに、電子時計１の状態や携帯端末３０から受信した情報に応じた信号がモータ４２に出力され、第１副針１５、第２副針１６及び第３副針１７が駆動される。なお、指針を駆動するモータ４２は１つに限定されず、独立して動作させたい指針の数に応じて複数のモータを設けてよい。また、コントローラ４０からは、ブザー１８により音を発生させる信号が出力される。ブザー１８は、どのようなものを用いてもよく、例えば圧電ブザーであってよい。
【００３１】
本実施形態に係る電子時計１は、太陽電池４３を備える。太陽電池４３による発電により得られた電力は、電池４４に蓄積される。電池４４からは、エンコード／デコード回路４１及びコントローラ４０に電力が供給される。スイッチ４５は、エンコード／デコード回路４１への電力供給のオン／オフを切り替えるスイッチであり、コントローラ４０により制御される。高周波数で動作するエンコード／デコード回路４１はその消費電力が大きいため、コントローラ４０は、電波を送受信する時のみスイッチ４５をオンとしてエンコード／デコード回路４１を動作させ、それ以外の時はスイッチ４５をオフとして、消費電力を低減する。
【００３２】
携帯端末３０は、アンテナを含む端末通信部５４で近距離無線通信に用いられる電波を送受信する。携帯端末３０は、例えば、エンコード／デコード回路３２によりアクション要求をエンコードして、電子時計１に送信する。また、携帯端末３０は、インターネット回線や電話回線に無線接続され、電子メールサーバと通信を行ってメールの送受信を行ったり、時刻情報を取得したり、電話通信を行ったりする。ＣＰＵ（Ｃｅｎｔｒａｌ  Ｐｒｏｃｅｓｓｉｎｇ  Ｕｎｉｔ）３１は、携帯端末３０全体の動作を制御し、その内部に時計回路を有しており、内部時刻を計時する機能を有している。時計回路は、インターネット回線より取得される時刻情報に基づいて適宜修正され、正確な計時が維持される。
【００３３】
ＣＰＵ３１には、ユーザによる外部からの操作を受け付ける入力部５０（タッチパネル）からの信号が入力される。また、ＣＰＵ３１からは、表示部５１（液晶ディスプレイ）に映像信号が出力される。携帯端末３０は、電池３３を備え、電池３３からエンコード／デコード回路３２及びＣＰＵ３１に電力が供給される。
【００３４】
図３は、本発明の実施形態に係るメール受信通知システム１００の機能ブロック図である。携帯端末３０は、入力部５０と、表示部５１と、端末制御部５２と、端末通信部５４と、を有する。入力部５０は、携帯端末３０のユーザの操作を受け付けて、携帯端末３０の端末制御部５２に入力を行うものであり、本実施形態の場合タッチパネルである。表示部５１は、ユーザに種々の情報を表示するものであり、本実施形態の場合、液晶ディスプレイである。
【００３５】
端末制御部５２は、ＣＰＵ３１で構成され、携帯端末３０全体を制御する。端末制御部５２は、メール受信通知受取部５２ａと、アクション要否判断部５２ｂと、を含む。メール受信通知受取部５２ａは、携帯端末３０のオペレーティングシステムからメール受信通知を受け取る。アクション要否判断部５２ｂは、差出人メールアドレスを、予め設定されたフィルタリストと照合し、電子時計１のアクションの要否を判断する。フィルタリスト記憶部５３は、メール受信通知に対して電子時計１のアクションが必要であるか否かを判断するためのフィルタリストを記憶する。フィルタリストは、少なくとも差出人名と差出人メールアドレスとが併せて記録されたものであればよく、例えばアドレス帳（電話帳）であってよい。
【００３６】
端末通信部５４は、問い合わせ部５４ａと、アクション要求送信部５４ｂと、を含む。問い合わせ部５４ａは、メール受信通知に基づいて、少なくともメール受信通知に係るメールを含む受信メールの差出人メールアドレスを電子メールサーバ７０に問い合わせる。アクション要求送信部５４ｂは、アクション要否判断部５２ｂがアクションの必要があると判断した場合に、電子時計１にアクション要求を送信する。
【００３７】
電子メールサーバ７０は、プッシュ通知部７１と、メール詳細送信部７２と、を含む。プッシュ通知部７１は、電子メールの受信を携帯端末３０の電子メールクライアントにプッシュ通知する。メール詳細送信部７２は、携帯端末３０の問い合わせ部５４ａの問い合わせに対して、少なくとも差出人メールアドレスを含むメール詳細を携帯端末３０に送信する。なお、電子メールサーバ７０は、本実施形態に係るメール受信通知システム１００に含まれるものではなく、プッシュ通知部７１及びメール詳細送信部７２とは異なる構成を有していてもよい。
【００３８】
電子時計１は、竜頭２及びプッシュボタン４と、ブザー１８と、時計制御部６１と、時計通信部６２と、を含む。時計制御部６１は、アクション実行部６１ａを含む。アクション実行部６１ａは、携帯端末３０から送信されたアクション要求に基づいて、アクションを実行する。ここで、アクションとは、携帯端末３０によりメールを受信したことをユーザに通知する動作をいい、本実施形態に係るメール受信通知システム１００の場合、ブザー１８の鳴動や秒針２２により電子メール受信表示１３を指し示す動作である。
【００３９】
時計通信部６２は、アクション要求受信部６２ａを含む。アクション要求受信部６２ａは、携帯端末３０から送信されたアクション要求を受信する。
【００４０】
図４は、本発明の実施形態に係るメール受信通知システム１００における、メール受信を知らせるアクション実行処理の第１のフローチャートである。電子メールサーバ７０に新着メールが受信されると、プッシュ通知部７１により、携帯端末３０の電子メールクライアント３０ａにメール受信通知が行なわれる。電子メールクライアント３０ａは、メール受信通知を携帯端末３０のオペレーティングシステム３０ｂに通知する（Ｓ１）。オペレーティングシステム３０ｂは、メール受信通知を携帯端末３０のアプリケーション３０ｃに通知する（Ｓ２）。アプリケーション３０ｃは、メール受信通知受取部５２ａによりメール受信通知を受け取る。
【００４１】
アプリケーション３０ｃは、電子メールＡＰＩ（Ａｐｐｌｉｃａｔｉｏｎ  Ｐｒｏｇｒａｍｍｉｎｇ  Ｉｎｔｅｒｆａｃｅ）３０ｄを介して、問い合わせ部５４ａにより、電子メールサーバ７０に差出人メールアドレスを問い合わせる。図４に示す例では、問い合わせ部５４ａは、メール受信通知に含まれる差出人名に基づいて、少なくともメール受信通知に係るメールを含む受信メールの差出人メールアドレスを電子メールサーバ７０に問い合わせる。具体的には、アプリケーション３０ｃにより、メール受信通知に含まれる差出人名を電子メールＡＰＩ３０ｄに通知し（Ｓ３）、電子メールＡＰＩ３０ｄから電子メールサーバ７０に対して差出人メールアドレスの問い合わせが行なわれる（Ｓ４）。なお、差出人名は、差出人によって任意に付加出来るものであり、差出人を特定するに足る情報とはならない場合がある。メール受信通知が、差出人を特定するに足る情報、例えば差出人メールアドレス、を含む場合には、アプリケーション３０ｃは、問い合わせを行う必要が無いことは言うまでもない。
【００４２】
電子メールＡＰＩ３０ｄは、電子メールサーバ７０のメール詳細送信部７２より差出人メールアドレスを含むメール詳細を取得し、少なくともメール受信通知に係るメールを含む受信メールの差出人メールアドレスをアプリケーション３０ｃに通知する（Ｓ５）。
【００４３】
アプリケーション３０ｃは、アクション要否判断部５２ｂにより、差出人メールアドレスを、予め設定されたフィルタリストと照合し、電子時計１のアクションの要否を判断する（Ｓ６）。本実施形態に係るメール受信通知システム１００において、フィルタリストは、フィルタリスト記憶部５３に記憶されたものである。アクション要と判断された場合（Ｓ６：ＹＥＳ）、アクション要求送信部５４ｂにより、電子時計１にアクション要求を送信する（Ｓ７）。アクション不要と判断された場合（Ｓ６：ＮＯ）、アクション実行せずに処理を終了する。電子時計１は、アクション要求を受信した場合、アクション実行部６１ａにより、アクション要求に基づいてアクションを実行する（Ｓ８）。
【００４４】
本実施形態に係るメール受信通知システム１００によれば、アプリケーション３０ｃによりメール受信通知のアクション要否を判断し、電子時計１に対してアクション要求を行うため、プッシュ型電子メールについて、メール受信があることを適切に知らせることができる。また、アプリケーション３０ｃによりメール受信通知のアクション要否についてフィルタリングを行うため、電子時計１による無用なアクションが防止され、頻繁なアクションによってユーザが煩わされることがなくなる。
【００４５】
また、メール受信通知に含まれる差出人名を検索キーとして利用することで、簡易に実装可能であり、保守が容易なアプリケーション３０ｃでアクション要否のフィルタリングを行うことができる。
【００４６】
図５は、本発明の実施形態に係るメール受信通知システム１００における、メール受信を知らせるアクション実行処理の第２のフローチャートである。電子メールサーバ７０に新着メールが受信されると、プッシュ通知部７１により、携帯端末３０の電子メールクライアント３０ａにメール受信通知が行なわれる。電子メールクライアント３０ａは、メール受信通知を携帯端末３０のオペレーティングシステム３０ｂに通知する（Ｓ１１）。オペレーティングシステム３０ｂは、メール受信通知を携帯端末３０のアプリケーション３０ｃに通知する（Ｓ１２）。アプリケーション３０ｃは、メール受信通知受取部５２ａによりメール受信通知を受け取る。
【００４７】
アプリケーション３０ｃは、電子メールＡＰＩ３０ｄを介して、問い合わせ部５４ａにより、電子メールサーバ７０に差出人メールアドレスを問い合わせる。図５に示す例では、問い合わせ部５４ａは、メール受信通知の発生時刻に基づいて、少なくともメール受信通知に係るメールを含む受信メールの差出人メールアドレスを電子メールサーバに問い合わせる。具体的には、アプリケーション３０ｃにより、メール受信通知の発生時刻を電子メールＡＰＩ３０ｄに通知し（Ｓ１３）、電子メールＡＰＩ３０ｄから電子メールサーバ７０に対して差出人メールアドレスの問い合わせが行なわれる（Ｓ１４）。
【００４８】
電子メールＡＰＩ３０ｄは、電子メールサーバ７０のメール詳細送信部７２より差出人メールアドレスを含むメール詳細を取得し、少なくともメール受信通知に係るメールを含む受信メールの差出人メールアドレスをアプリケーション３０ｃに通知する（Ｓ１５）。
【００４９】
アプリケーション３０ｃは、アクション要否判断部５２ｂにより、差出人メールアドレスを、予め設定されたフィルタリストと照合し、電子時計１のアクションの要否を判断する（Ｓ１６）。本実施形態に係るメール受信通知システム１００において、フィルタリストは、フィルタリスト記憶部５３に記憶されたものである。アクション要と判断された場合（Ｓ１６：ＹＥＳ）、アクション要求送信部５４ｂにより、電子時計１にアクション要求を送信する（Ｓ１７）。アクション不要と判断された場合（Ｓ１６：ＮＯ）、アクション実行せずに処理を終了する。電子時計１は、アクション要求を受信した場合、アクション実行部６１ａにより、アクション要求に基づいてアクションを実行する（Ｓ１８）。
【００５０】
本実施形態に係るメール受信通知システム１００によれば、メール受信通知の発生時刻を検索キーとして利用することで、簡易に実装可能であり、保守が容易なアプリケーション３０ｃでアクション要否のフィルタリングを行うことができる。
【００５１】
図６は、本発明の実施形態に係るメール受信通知システム１００における、メール受信を知らせるアクション実行処理の第３のフローチャートである。電子メールサーバ７０に新着メールが受信されると、プッシュ通知部７１により、携帯端末３０の電子メールクライアント３０ａにメール受信通知が行なわれる。電子メールクライアント３０ａは、メール受信通知を携帯端末３０のオペレーティングシステム３０ｂに通知する（Ｓ２１）。オペレーティングシステム３０ｂは、メール受信通知を携帯端末３０のアプリケーション３０ｃに通知する（Ｓ２２）。アプリケーション３０ｃは、メール受信通知受取部５２ａによりメール受信通知を受け取る。
【００５２】
アプリケーション３０ｃは、電子メールＡＰＩ３０ｄを介して、問い合わせ部５４ａにより、電子メールサーバ７０に差出人メールアドレスを問い合わせる。図６に示す例では、問い合わせ部５４ａは、メール受信通知の件数に応じて、少なくともメール受信通知に係るメールを含む複数の受信メールそれぞれの差出人メールアドレスを電子メールサーバに問い合わせる。具体的には、アプリケーション３０ｃにより、メール受信通知の件数を電子メールＡＰＩ３０ｄに通知し（Ｓ２３）、電子メールＡＰＩ３０ｄから電子メールサーバ７０に対して差出人メールアドレスの問い合わせが行なわれる（Ｓ２４）。電子メールＡＰＩ３０ｄは、最新のメールからメール受信通知の件数だけ遡って、メール受信通知の件数分のメール詳細を電子メールサーバ７０から取得してよい。
【００５３】
電子メールＡＰＩ３０ｄは、電子メールサーバ７０のメール詳細送信部７２より差出人メールアドレスを含むメール詳細を取得し、少なくともメール受信通知に係るメールを含む受信メールの差出人メールアドレスをアプリケーション３０ｃに通知する（Ｓ２５）。
【００５４】
アプリケーション３０ｃは、アクション要否判断部５２ｂにより、差出人メールアドレスを、予め設定されたフィルタリストと照合し、電子時計１のアクションの要否を判断する（Ｓ２６）。本実施形態に係るメール受信通知システム１００において、フィルタリストは、フィルタリスト記憶部５３に記憶されたものである。アクション要と判断された場合（Ｓ２６：ＹＥＳ）、アクション要求送信部５４ｂにより、電子時計１にアクション要求を送信する（Ｓ２７）。アクション不要と判断された場合（Ｓ２６：ＮＯ）、アクション実行せずに処理を終了する。電子時計１は、アクション要求を受信した場合、アクション実行部６１ａにより、アクション要求に基づいてアクションを実行する（Ｓ２８）。
【００５５】
本実施形態に係るメール受信通知システム１００によれば、メール受信通知の件数を検索キーとして利用することで、複数のメールについて差出人名が重複していた場合やメール受信通知の発生時刻が重複していた場合であっても、適切にフィルタリングを施すことができ、頻繁なアクションによってユーザが煩わされることが防止される。
【００５６】
以上、本発明に係る実施形態について説明したが、この実施形態に示した具体的な構成は一例として示したものであり、本発明の技術的範囲をこれに限定することは意図されていない。例えば、上述の実施形態では、メール受信通知が発生する度に差出人メールアドレスを電子メールサーバに問い合わせることとしたが、過去に問い合わせを行った差出人名について、携帯端末３０に差出人名と差出人メールアドレスの対応リストを記憶して、メール受信通知があった場合に対応リストを参照して、問い合わせを省略することとしてもよい。また、上述の実施形態では、問い合わせ部５４ａが、メール受信通知に含まれる差出人名、メール受信通知の発生時刻及びメール受信通知の件数のいずれかに基づいて、少なくともメール受信通知に係るメールを含む受信メールの差出人メールアドレスを電子メールサーバ７０に問い合わせる場合を説明したが、問い合わせ部５４ａは、メール受信通知に含まれるメールＩＤ又は差出人に関するＩＤに基づいて、少なくともメール受信通知に係るメールを含む受信メールの差出人メールアドレスを電子メールサーバ７０に問い合わせることとしてもよい。
【符号の説明】
【００５７】
１  電子時計、２  竜頭、４  プッシュボタン、１０  文字板、１１  接続処理表示、１２  リンクロス表示、１３  電子メール受信表示、１４  電話着信表示、１５  第１副針、１５ａ  ２４時間表示、１６  第２副針、１６ａ  充電残量表示、１６ｂ  曜日表示、１６ｃ  アラーム設定表示、１６ｄ  接続状態表示、１７  第３副針、１７ａ  機能設定表示、１８  ブザー、２０  時針、２１  分針、２２  秒針、３０  携帯端末、３１  ＣＰＵ、３２  エンコード／デコード回路、３３  二次電池、４０  コントローラ、４１  エンコード／デコード回路、４２  モータ、４３  太陽電池、４４  二次電池、４５  スイッチ、５０  入力部、５１  表示部、５２  端末制御部、５２ａ  メール受信通知受取部、５２ｂ  アクション要否判断部、５３  フィルタリスト記憶部、５４  端末通信部、５４ａ  問い合わせ部、５４ｂ  アクション要求送信部、６１  時計制御部、６１ａ  アクション実行部、６２  時計通信部、６２ａ  アクション要求受信部、７０  電子メールサーバ、７１  プッシュ通知部、７２  メール詳細送信部、１００  メール受信通知システム。
【図１】
2018022223.tif 000003
【図２】
2018022223.tif 000004
【図３】
2018022223.tif 000005
【図４】
2018022223.tif 000006
【図５】
2018022223.tif 000007
【図６】
2018022223.tif 000008